(57)【特許請求の範囲】
【請求項１】
印刷を行う印刷部を備えた印刷装置において、
前記印刷部に電力を供給するバッテリを収容可能な凹部である収容部と、
前記収容部に対向する特定面を有し、前記収容部に対して閉じられた第一位置と、前記収容部に対して開かれた第二位置との間を移動可能なカバーと、
前記特定面と直交する第一方向に延びる軸部と、
前記カバーを前記第一位置に保持可能な保持部と、
前記保持部が係合可能な係合部と
を備え、
前記保持部は、
前記軸部と連結する部材であって、第三位置と第四位置との間を、前記軸部を中心に回転可能な第一回転部材と、
前記軸部と連結し、前記軸部を中心に前記第一回転部材と共に回転可能な第二回転部材と
を備え、
前記第一回転部材は、
前記第一回転部材が前記第三位置から前記第四位置に回転することを規制する規制部を有し、前記軸部と前記規制部とを通る仮想平面よりも、前記仮想平面と直交する第二方向の一方である第三方向側に配置される第一部位と、
前記仮想平面よりも前記第三方向とは反対方向である第四方向側に配置される第二部位と
を備え、
前記第一回転部材が前記第三位置にある場合、前記第一回転部材の一部が前記カバーの縁部よりも外側に突出することで前記係合部に係合し、
前記第一回転部材が前記第四位置にある場合、前記第一回転部材の全部が前記カバーの縁部よりも内側に配置されることで前記係合部から離隔し、
前記第一部位の前記第一方向の厚みは、前記第二部位の前記第一方向の厚みよりも薄いことを特徴とする印刷装置。
【請求項２】
印刷を行う印刷部を備えた印刷装置において、
前記印刷部に電力を供給するバッテリを収容可能な凹部である収容部と、
前記収容部に対向する特定面を有し、前記収容部に対して閉じられた第一位置と、前記収容部に対して開かれた第二位置との間を移動可能なカバーと、
前記特定面と直交する第一方向に延びる軸部と、
前記カバーを前記第一位置に保持可能な保持部と、
前記保持部が係合可能な係合部と
を備え、
前記保持部は、
前記軸部と連結する部材であって、第三位置と第四位置との間を、前記軸部を中心に回転可能な第一回転部材と、
前記軸部と連結し、前記軸部を中心に前記第一回転部材と共に回転可能な第二回転部材と
を備え、
前記第一回転部材は、
前記第一回転部材が前記第三位置から前記第四位置に回転することを規制する規制部を有し、前記軸部と前記規制部とを通る仮想平面よりも、前記仮想平面と直交する第二方向の一方である第三方向側に配置される第一部位と、
前記第一部位よりも前記第三方向とは反対方向である第四方向側に配置される第二部位と
を備え、
前記第一回転部材が前記第三位置にある場合、前記第一回転部材の一部が前記カバーの縁部よりも外側に突出することで前記係合部に係合し、
前記第一回転部材が前記第四位置にある場合、前記第一回転部材の全部が前記カバーの縁部よりも内側に配置されることで前記係合部から離隔し、
前記保持部のうち前記仮想平面よりも前記第三方向側の部位に作用するモーメントと、前記保持部のうち前記仮想平面よりも前記第四方向側の部位に作用するモーメントとは、互いに略釣り合っていることを特徴とする印刷装置。
【請求項３】
前記第一回転部材が前記第三位置にある場合、前記第一回転部材のうち前記第二部位の一部または全部が、前記カバーの縁部よりも外側に突出することで前記係合部に係合することを特徴とする請求項１または２に記載の印刷装置。
【請求項４】
前記軸部は、前記カバーを前記第一方向に貫通し、かつ前記カバーによって回転可能に支持され、
前記第一回転部材は、前記軸部のうち、前記カバーに対して前記特定面側の部位と連結し、
前記第二回転部材は、前記軸部のうち、前記カバーに対して前記特定面とは反対側の部位と連結することを特徴とする請求項１から３のいずれかに記載の印刷装置。
【請求項５】
前記特定面から突出する凸部を備え、
前記規制部は、前記第一回転部材が前記第三位置にある場合に、前記凸部が嵌まる凹部であることを特徴とする請求項１から４のいずれかに記載の印刷装置。
【請求項６】
一部が前記収容部の開口縁部よりも内側に突出する第五位置と、全部が前記収容部の開口縁部よりも外側に配置される第六位置との間を移動可能な移動部材と、
前記移動部材を前記第六位置から前記第五位置に向かう第五方向に付勢する付勢部材とを備えたことを特徴とする請求項１から５のいずれかに記載の印刷装置。
【請求項７】
前記特定面から突出する部位であって、前記カバーが前記第一位置にある場合に、前記第五方向から、前記第五位置にある前記移動部材に接触する接触部を備えたことを特徴とする請求項６に記載の印刷装置。
【請求項８】
前記カバーを回動可能に支持するヒンジを備え、
前記移動部材は、前記第六位置にある場合、前記第五方向において、前記収容部と前記ヒンジとの間に配置されることを特徴とする請求項７に記載の印刷装置。
【請求項９】
前記特定面から突出する突出部を備えたことを特徴とする請求項１から８のいずれかに記載の印刷装置。
【発明の詳細な説明】
【技術分野】
【０００１】
本発明は、電源としてバッテリを利用可能な印刷装置に関する。
【背景技術】
【０００２】
従来、電源としてバッテリを利用可能な印刷装置が知られている。特許文献１に記載の印刷装置は、収容部に収容されたバッテリによって印刷装置全体に電力の供給を行っている。この印刷装置は、収容部に収容されたバッテリを保持する本体固定部を備える。本体固定部は、本体突出部と本体付勢部とを備える。本体突出部の一端部は、収容部の外側で揺動可能に支持される。本体突出部の他端部は、収容部の内側に突出する位置と外側に配置される位置とに揺動可能である。本体付勢部は、本体突出部が収容部の内側に突出するように、本体突出部を付勢する。バッテリは、収容部の内側に突出した本体突出部の他端部によって、収容部から外れないように保持される。他端部が収容部の外側に配置された場合、収容部に対してバッテリが着脱可能な状態となる。
【先行技術文献】
【特許文献】
【０００３】
【特許文献１】特開２０１５−１６０４２３号公報
【発明の概要】
【発明が解決しようとする課題】
【０００４】
上記の印刷装置では、印刷装置に対する衝撃によって本体突出部の他端部に大きな力が作用する場合がある。この場合、本体突出部の他端部に作用した大きな力によって、本体突出部の他端部が収容部の内側から外側に向けて揺動する可能性がある。本体突出部の他端部が収容部の外側に配置されると、収容部からバッテリが外れる状態となる。すなわち、ユーザの意図によらないで、印刷装置に対する衝撃によって収容部からバッテリが外れてしまう問題があった。
【０００５】
本発明の目的は、印刷装置に対する衝撃によって収容部からバッテリが外れることを抑制できる印刷装置を提供することである。
【課題を解決するための手段】
【０００６】
本発明の第一態様に係る印刷装置は、印刷を行う印刷部を備えた印刷装置において、前記印刷部に電力を供給するバッテリを収容可能な凹部である収容部と、前記収容部に対向する特定面を有し、前記収容部に対して閉じられた第一位置と、前記収容部に対して開かれた第二位置との間を移動可能なカバーと、前記特定面と直交する第一方向に延びる軸部と、前記カバーを前記第一位置に保持可能な保持部と、前記保持部が係合可能な係合部とを備え、前記保持部は、前記軸部と連結する部材であって、第三位置と第四位置との間を、前記軸部を中心に回転可能な第一回転部材と、前記軸部と連結し、前記軸部を中心に前記第一回転部材と共に回転可能な第二回転部材とを備え、前記第一回転部材は、前記第一回転部材が前記第三位置から前記第四位置に回転することを規制する規制部を有し、前記軸部と前記規制部とを通る仮想平面よりも、前記仮想平面と直交する第二方向の一方である第三方向側に配置される第一部位と、前記仮想平面よりも前記第三方向とは反対方向である第四方向側に配置される第二部位とを備え、前記第一回転部材が前記第三位置にある場合、前記第一回転部材の一部が前記カバーの縁部よりも外側に突出することで前記係合部に係合し、前記第一回転部材が前記第四位置にある場合、前記第一回転部材の全部が前記カバーの縁部よりも内側に配置されることで前記係合部から離隔し、前記第一部位の前記第一方向の厚みは、前記第二部位の前記第一方向の厚みよりも薄いことを特徴とする。
【０００７】
上記第一態様によれば、収容部にバッテリが収容された状態でカバーが第一位置に配置されることで、バッテリは、収容部に収容された状態で保持される。この状態で第一回転部材が第三位置に回転すると、第一回転部材の一部がカバーの縁部よりも外側に突出することで係合部に係合する。これにより、カバーが第一位置から第二位置に移動することが規制される。規制部は、第一回転部材が第三位置から第四位置に回転することを規制する。これにより、印刷装置は、保持部がカバーを第一位置に保持している状態を保持できる。例えば、印刷装置に対して第三方向に衝撃が与えられた場合、規制部によって第一回転部材が第三位置から第四位置に回転することが規制され、カバーが第一位置から第二位置に移動することが抑制される。従って、印刷装置は、印刷装置に対して第三方向に衝撃が与えられた場合に、収容部からバッテリが外れることを抑制できる。また、第二回転部材は軸部に対して第三方向側に配置される。第一部位は第二部位よりも第三方向側に配置される。第一部位の第一方向の厚みは、第二部位の第一方向の厚みよりも薄いため、印刷装置は、保持部の第二方向の重量バランスを調整しやすい。従って、印刷装置は、保持部において、仮想平面よりも第三方向側の部位に作用するモーメントと、仮想平面よりも第四方向側の部位に作用するモーメントとの互いの釣り合いをとりやすい。このため、例えば、印刷装置に対して第二方向に交差する方向に衝撃が与えられた場合、第一回転部材が第三位置から第四位置に回転し、カバーが第一位置から第二位置に移動することが抑制される。従って、印刷装置は、印刷装置に対して第二方向に交差する方向に衝撃が与えられた場合に、収容部からバッテリが外れることを抑制できる。以上のように、印刷装置は、印刷装置に対する衝撃によって収容部からバッテリが外れることを抑制できる。
【０００８】
本発明の第二態様に係る印刷装置は、印刷を行う印刷部を備えた印刷装置において、前記印刷部に電力を供給するバッテリを収容可能な凹部である収容部と、前記収容部に対向する特定面を有し、前記収容部に対して閉じられた第一位置と、前記収容部に対して開かれた第二位置との間を移動可能なカバーと、前記特定面と直交する第一方向に延びる軸部と、前記カバーを前記第一位置に保持可能な保持部と、前記保持部が係合可能な係合部とを備え、前記保持部は、前記軸部と連結する部材であって、第三位置と第四位置との間を、前記軸部を中心に回転可能な第一回転部材と、前記軸部と連結し、前記軸部を中心に前記第一回転部材と共に回転可能な第二回転部材とを備え、前記第一回転部材は、前記第一回転部材が前記第三位置から前記第四位置に回転することを規制する規制部を有し、前記軸部と前記規制部とを通る仮想平面よりも、前記仮想平面と直交する第二方向の一方である第三方向側に配置される第一部位と、前記第一部位よりも前記第三方向とは反対方向である第四方向側に配置される第二部位とを備え、前記第一回転部材が前記第三位置にある場合、前記第一回転部材の一部が前記カバーの縁部よりも外側に突出することで前記係合部に係合し、前記第一回転部材が前記第四位置にある場合、前記第一回転部材の全部が前記カバーの縁部よりも内側に配置されることで前記係合部から離隔し、前記保持部のうち前記仮想平面よりも前記第三方向側の部位に作用するモーメントと、前記保持部のうち前記仮想平面よりも前記第四方向側の部位に作用するモーメントとは、互いに略釣り合っていることを特徴とする。
【０００９】
上記第二態様によれば、収容部にバッテリが収容された状態でカバーが第一位置に配置されることで、バッテリは、収容部に収容された状態で保持される。この状態で第一回転部材が第三位置に回転すると、第一回転部材の一部がカバーの縁部よりも外側に突出することで係合部に係合する。これにより、カバーが第一位置から第二位置に移動することが規制される。規制部は、第一回転部材が第三位置から第四位置に回転することを規制する。これにより、印刷装置は、保持部がカバーを第一位置に保持している状態を保持できる。例えば、印刷装置に対して第三方向に衝撃が与えられた場合、規制部によって第一回転部材が第三位置から第四位置に回転することが規制され、カバーが第一位置から第二位置に移動することが抑制される。従って、印刷装置は、印刷装置に対して第三方向に衝撃が与えられた場合に、収容部からバッテリが外れることを抑制できる。また、印刷装置は、保持部において、仮想平面よりも第三方向側の部位に作用するモーメントと、仮想平面よりも第四方向側の部位に作用するモーメントとが互いに略釣り合っている。このため、例えば、印刷装置に対して第二方向に交差する方向に衝撃が与えられた場合、第一回転部材が第三位置から第四位置に回転し、カバーが第一位置から第二位置に移動することが抑制される。従って、印刷装置は、印刷装置に対して第二方向に交差する方向に衝撃が与えられた場合に、収容部からバッテリが外れることを抑制できる。以上のように、印刷装置は、印刷装置に対する衝撃によって収容部からバッテリが外れることを抑制できる。
【００１０】

【００１１】

【図面の簡単な説明】
【００１２】
【図１】印刷装置１を前右上方から見た斜視図である。
【図２】バッテリカバー５０が開位置にあり、インナーロック部材８０がバッテリアンロック位置にある場合における印刷装置１の右側面図である。
【図３】図１のＡ−Ａ線矢視方向における印刷装置１の断面図である。
【図４】第一回転部材７１がバッテリロック位置にある場合におけるバッテリカバー５０および保持部７０の左側面図である。
【図５】第一回転部材７１がバッテリロック位置にある場合におけるバッテリカバー５０および保持部７０の右側面図である。
【図６】第一回転部材７１がバッテリアンロック位置にある場合におけるバッテリカバー５０および保持部７０の左側面図である。
【図７】第一回転部材７１がバッテリアンロック位置にある場合におけるバッテリカバー５０および保持部７０の右側面図である。
【図８】保持部７０を下方から見た部品図である。
【図９】第一変形例における図４に相当する図である。
【図１０】第一変形例における図６に相当する図である。
【図１１】第二変形例における図４に相当する図である。
【図１２】第二変形例における図６に相当する図である。
【発明を実施するための形態】
【００１３】
図面を参照し、本発明の一実施形態を説明する。以下では、図１の上方、下方、右下方、左上方、左下方、および右上方を、それぞれ、印刷装置１の上方、下方、右方、左方、前方、および後方とする。印刷装置１は、ＵＳＢ（登録商標）ケーブル（図示略）を介して外部端末（図示略）に接続可能である。印刷装置１は、外部端末から受信した印刷データに基づいて、文字、図形等のキャラクタを印刷媒体に印刷できる。印刷媒体は、例えば幅が２インチの感熱ラベルである。外部端末は、例えば汎用のパーソナルコンピュータ（ＰＣ）である。
【００１４】
図１を参照し、印刷装置１の構成を説明する。印刷装置１は、本体ケース２とケースカバー３とを備える。本体ケース２は、前後方向に長い略直方体状である。ケースカバー３は、本体ケース２の前後方向の略中央部よりも後側において、本体ケース２の上側に配置された板状である。ケースカバー３の後端部は、本体ケース２の後端部上側で回転可能に支持される。ケースカバー３は、本体ケース２に対して開閉可能である。以下、ケースカバー３が本体ケース２に対して閉じられている状態（図１参照）を基準として説明する。
【００１５】
本体ケース２は、ディスプレイ４、複数のスイッチ５、ロックレバー６、およびバッテリ保持機構７を備える。ディスプレイ４は、本体ケース２の前面２Ａにおける上部に設けられる。ディスプレイ４は、感熱ラベルに印刷されるキャラクタ等を表示する。複数のスイッチ５は、前面２Ａにおいてディスプレイ４の下側に設けられる。複数のスイッチ５は、ユーザの操作に応じて、各種動作の指示を印刷装置１に入力する。
【００１６】
ロックレバー６は、本体ケース２の右面２Ｂにおける前後方向の略中央部に設けられる。ロックレバー６は、本体ケース２に対して閉じられたケースカバー３の前端部を係止することで、ケースカバー３の開放を規制する。バッテリ保持機構７は、右面２Ｂの前下部に設けられる。バッテリ保持機構７には、印刷装置１全体に電力を供給するバッテリ１０（図３参照）が収容され、かつ収容された状態で保持される。バッテリ保持機構７の詳細は後述する。
【００１７】
本体ケース２の内部においてケースカバー３の下側には、ロール収容部（図示略）が形成される。ロール収容部は、感熱ラベルが巻回されたロール（図示略）が収容される空間である。ケースカバー３が本体ケース２に対して閉じられている場合、ケースカバー３はロール収容部を上方から覆う。ケースカバー３が本体ケース２に対して開かれている場合、ケースカバー３はロール収容部を上方に開放する。ユーザは、ケースカバー３が本体ケース２に対して開かれている状態で、ロールをロール収容部に収容する。
【００１８】
ケースカバー３の前端部３Ａの下側では、左右方向に延びるプラテンローラ３１が回転可能に支持される。プラテンローラ３１は、回転することで感熱ラベルを搬送する。本体ケース２の内部において、プラテンローラ３１と対向する位置には、印刷部３２が設けられる。図１では、印刷部３２を点線で示す。印刷部３２は、プラテンローラ３１と平行に延びる。印刷部３２は、感熱ラベルにキャラクタの印刷を行うラインサーマルヘッドである。前端部３Ａと、本体ケース２の上面の後端部との間には、排出口８が形成される。排出口８は、左右方向に延びるスリットである。印刷部３２によって印刷された感熱ラベルは、排出口８を介して、印刷装置１の内部から外部に排出される。排出口８の内側には、左右方向に延びるカッタ９が設けられる。カッタ９は、排出口８から排出された感熱ラベルを切断する。
【００１９】
図示しないが、本体ケース２の内部には、制御部、駆動部等が設けられる。制御部は、印刷装置１を制御するＣＰＵ、各種データを記憶するＲＯＭ等を有する。駆動部は、プラテンローラ３１を回転させるためのモータである。
【００２０】
図２〜図８を参照し、バッテリ保持機構７の構成を説明する。図２に示すように、バッテリ保持機構７は、バッテリ収容部２０、係合凹部４０、バッテリカバー５０、軸部６０、保持部７０、およびインナーロック部材８０を含む。
【００２１】
図３に示すように、バッテリ収容部２０は、右面２Ｂから左方に凹む。バッテリ収容部２０は、バッテリ１０の形状に対応した形状に形成される。本実施形態のバッテリ１０は、上部に丸みを有する略直方体状である（図２、図３参照）。バッテリ１０は、一次電池および二次電池のいずれであってもよい。バッテリ収容部２０にはバッテリ１０が取り外し可能に、右方から収容される。本実施形態では、バッテリ収容部２０に収容されたバッテリ１０の右面１０Ａの位置は、バッテリ収容部２０の開口面の位置と略一致する。
【００２２】
バッテリ収容部２０の底面には、正極および負極の二極を一対とした接続端子２１が設けられる。接続端子２１は制御部と電気的に接続する。バッテリ１０の左面には、接続端子２１に対応する位置にバッテリ端子１１が設けられる。バッテリ収容部２０に収容されたバッテリ１０のバッテリ端子１１は、接続端子２１と電気的に接続する。これにより、バッテリ１０は、印刷部３２、制御部、駆動部等を含む印刷装置１全体に電力を供給可能な状態となる。
【００２３】
係合凹部４０は、バッテリ収容部２０の開口縁部のうち前縁部２０Ｂの外側（前側）近傍に設けられる。係合凹部４０は前方に凹む。係合凹部４０には、後述の保持部７０（図２参照）が係合可能である。
【００２４】
バッテリカバー５０は、ヒンジ１５によって閉位置（図１、図３参照）と開位置（図２参照）との間を回動可能に支持される。閉位置では、バッテリカバー５０は、バッテリ収容部２０に対して閉じられ、バッテリ収容部２０全体を右方から覆う。この場合、バッテリ１０は、バッテリ収容部２０に収容された状態で保持される。バッテリカバー５０が閉位置にある場合、バッテリカバー５０の左面（以下、特定面５０Ａ）がバッテリ収容部２０の開口面と左右方向に対向する。開位置では、バッテリカバー５０は、バッテリ収容部２０に対して開かれ、バッテリ収容部２０を開放する。以下、バッテリカバー５０が閉位置（図１、図３参照）にある状態を基準として説明する。
【００２５】
図３および図４に示すように、バッテリカバー５０は、バッテリ収容部２０の右側に配置された板状である。バッテリカバー５０は、カバー部５１と延出部５２とを備える。カバー部５１は、側面視でバッテリ収容部２０よりも大きい略矩形状である。延出部５２は、カバー部５１の後端部の略中央部から後方に延出する。延出部５２は、ヒンジ１５を構成するヒンジ孔１５Ａを有する。ヒンジ孔１５Ａは、延出部５２の後端部を上下方向に貫通する。ヒンジ孔１５Ａには、ヒンジ軸１５Ｂが回転可能に上下方向に貫通する。ヒンジ軸１５Ｂは、右面２Ｂのうちロックレバー６（図１参照）の前下方から左方に凹む凹部１６に設けられる。このように、ヒンジ１５は、ヒンジ孔１５Ａとヒンジ軸１５Ｂとによって構成される。
【００２６】
図４に示すように、バッテリカバー５０には、回転規制リブ５３、接触リブ５４、複数の突出リブ５５Ａ，５５Ｂ、凸部５６等が設けられる。回転規制リブ５３は、特定面５０Ａの上部から左方に突出し、かつ前後方向に延びる。接触リブ５４は、特定面５０Ａのうちカバー部５１と延出部５２との互いの接続部近傍に設けられる。接触リブ５４は、特定面５０Ａから左方に突出する。
【００２７】
突出リブ５５Ａは、カバー部５１の下部、かつ前後方向の中央部よりもやや前側に設けられる。突出リブ５５Ｂは、カバー部５１の上部において、突出リブ５５Ａよりも後側に設けられる。突出リブ５５Ａ，５５Ｂは、それぞれ、特定面５０Ａから矩形状に左方に突出する。
【００２８】
特定面５０Ａには、回転規制リブ５３、接触リブ５４、および複数の突出リブ５５Ａ，５５Ｂの他にも複数のリブが設けられる。回転規制リブ５３、接触リブ５４、および複数の突出リブ５５Ａ，５５Ｂを含む複数のリブは、バッテリカバー５０の強度を補強する。突出リブ５５Ａ，５５Ｂの各左端部は、複数のリブの各左端部のうち最も左方に配置される。突出リブ５５Ａ，５５Ｂの各左端部は、バッテリカバー５０が閉位置にある場合、バッテリ収容部２０に収容されたバッテリ１０の右面１０Ａに右方から接触する（図３参照）。
【００２９】
凸部５６は、カバー部５１の前下部に設けられる。凸部５６は、特定面５０Ａから円柱状に左方に突出する。
【００３０】
軸部６０は、特定面５０Ａと直交する方向（左右方向）に延びる（図８参照）。軸部６０が延びる方向は、ヒンジ軸１５Ｂが延びる方向とも直交する。軸部６０は、バッテリカバー５０のうち凸部５６の上前方の部位を左右方向に貫通する。これにより、軸部６０はバッテリカバー５０によって回転可能に支持される。
【００３１】
図４〜図７に示すように、保持部７０は、バッテリカバー５０に設けられる。保持部７０は、バッテリカバー５０を閉位置（図１、図３参照）に保持可能である。保持部７０は、第一回転部材７１と第二回転部材７９とを備える。第一回転部材７１は、バッテリカバー５０の左側（図４および図６の紙面表面側）に配置される。第一回転部材７１は、カバーロック位置（図４、図５参照）とカバーアンロック位置（図６、図７参照）との間を、軸部６０を中心に回転可能である。第一回転部材７１は、左側面視で時計回り方向（以下、矢印Ｙ１方向、図４、図５参照）に回転することでカバーロック位置からカバーアンロック位置に回転する。第一回転部材７１は、左側面視で反時計回り方向（以下、矢印Ｙ２方向、図６、図７参照）に回転することでカバーアンロック位置からカバーロック位置に回転する。
【００３２】
図４および図５に示すように、カバーロック位置では、第一回転部材７１の一部（以下、係合凸部７５）がバッテリカバー５０の縁部（本実施形態では、バッテリカバー５０の前縁部）よりも外側（前側）に突出する。この場合、係合凸部７５は係合凹部４０（図３参照）に係合する。よって、第一回転部材７１がカバーロック位置にある場合、バッテリカバー５０は閉位置（図１、図３参照）から開位置（図２参照）に回動することが規制された状態となる。このように、保持部７０は、バッテリカバー５０を閉位置に保持する。
【００３３】
図６および図７に示すように、カバーアンロック位置では、第一回転部材７１の全部がバッテリカバー５０の各縁部よりも内側に配置される。この場合、係合凸部７５は係合凹部４０（図３参照）から離隔する。よって、第一回転部材７１がカバーアンロック位置にある場合、バッテリカバー５０は閉位置（図１、図３参照）と開位置（図２参照）との間を自由に回動可能な状態となる。以下、第一回転部材７１がカバーロック位置（図４、図５参照）にある状態を基準として説明する。
【００３４】
図４に示すように、第一回転部材７１は、軸部６０のうち、バッテリカバー５０に対して特定面５０Ａ側の部位と連結する。第一回転部材７１は軸部６０の略中央部と連結する。軸部６０は、保持部７０全体（第一回転部材７１および第二回転部材７９）の重心Ｇの上方において、第一回転部材７１を貫通する。本実施形態の保持部７０の全体の重心Ｇは、側面視で第一回転部材７１の中心部に配置される。軸部６０は、Ｃリング６１によって第一回転部材７１に対して固定される。
【００３５】
第一回転部材７１は、側面視で多角形状の板状である。第一回転部材７１は、辺７１１と辺７１２と切欠き部７６とを含む。辺７１１は、第一回転部材７１の後上方で、前方に対して上方に傾斜する方向に延びる。辺７１２は、第一回転部材７１の前上方で、前方に対して下方に傾斜する方向に延びる。辺７１１と辺７１２とがなす角度αは略９０°である。第一回転部材７１がカバーアンロック位置にある場合には、第一回転部材７１のうち辺７１１が回転規制リブ５３に接触する（図６参照）。印刷装置１は、角度αを略９０°に設計することにより、係合凸部７５の大きさ（強度）を確保しつつ、バッテリカバー５０の前縁部よりも後方に辺７１２を配置できる。
【００３６】
切欠き部７６は、第一回転部材７１の右下部に設けられる。切欠き部７６は略矩形状である。第一回転部材７１がカバーアンロック位置にある場合、切欠き部７６によって形成される空間には凸部５６が配置される（図６参照）。これにより、第一回転部材７１がカバーアンロック位置から回転することが規制される。
【００３７】
第一回転部材７１は、第一部位７２と第二部位７３とを備える。保持部７０全体の重心Ｇの前側において、前後方向に直交する仮想平面Ｋ１を定義する。第一部位７２は、第一回転部材７１のうち仮想平面Ｋ１よりも後側に配置される。第一部位７２は、第一回転部材７１のうち軸部６０が貫通する部位を含む。Ｃリング６１は、第一部位７２の左側に設けられる。
【００３８】
第一部位７２は、規制部７４を有する。規制部７４は、第一部位７２の後下部に設けられる。以下、軸部６０の中心線と規制部７４とを通る仮想平面Ｃ１を定義する。仮想平面Ｃ１に直交する方向を、特定方向という。特定方向のうち略後方に延びる方向を、第一特定方向という。第一特定方向とは反対方向を第二特定方向という。本実施形態では、規制部７４は、特定方向に直交する方向において、保持部７０全体の重心Ｇに対して軸部６０とは反対側に設けられる。すなわち、軸部６０と規制部７４との間の距離は、軸部６０と保持部７０全体の重心Ｇとの間の距離よりも大きい。規制部７４は、側面視で凸部５６よりやや大きい形状で、第一回転部材７１の右面７１Ａ（図８参照）から左方に凹む。第一回転部材７１がカバーロック位置にある場合、規制部７４には凸部５６が嵌まる。これにより、第一回転部材７１がカバーロック位置から回転することが規制されるため、保持部７０がバッテリカバー５０を閉位置に保持している状態が保持される。
【００３９】
第二部位７３は、第一回転部材７１のうち第一部位７２の第二特定方向側に配置される。つまり、第二部位７３は、第一回転部材７１のうち仮想平面Ｋ１よりも前側に配置される。第二部位７３は、係合凸部７５と切欠き部７６とを含む。これによれば、第一回転部材７１がカバーロック位置にある場合、第一回転部材７１のうち第二部位７３の一部（係合凸部７５）がバッテリカバー５０の前縁部よりも前側に突出することで、係合凹部４０に係合する。
【００４０】
図８に示すように、第一部位７２の左右方向の厚みＴ１は、第二部位７３の左右方向の厚みＴ２よりも薄い。係合凸部７５は係合凹部４０に係合するため、強度を担保する必要がある。係合凸部７５は、厚みＴ１より厚い厚みＴ２を有する第二部位７３に含まれる。Ｃリング６１は、厚みＴ２より薄い厚みＴ１を有する第一部位７２の左側に設けられる。このため、印刷装置１は、Ｃリング６１が第二部位７３に設けられた場合に比べ、保持部７０全体の左右方向の厚みを薄くできる。つまり、印刷装置１は、第一回転部材７１の強度を担保しつつ、保持部７０全体の左右方向の厚みを薄くできる。
【００４１】
図５に示すように、第二回転部材７９は、バッテリカバー５０の右側（図５および図７の紙面表面側）に配置される。第二回転部材７９は、軸部６０のうち、バッテリカバー５０に対して特定面５０Ａとは反対面側の部位と連結する。本実施形態では、第二回転部材７９は、軸部６０の右端部と連結する。本実施形態では、第二回転部材７９と軸部６０とは、互いに一部材として一体的に形成される。第二回転部材７９は、軸部６０に対して第一特定方向に配置される板状である。第二回転部材７９は、軸部６０を中心に第一回転部材７１と共に回転可能である。
【００４２】
第一回転部材７１がカバーロック位置にある場合、第二回転部材７９は、軸部６０から後方に延びる（図５参照）。第一回転部材７１がカバーアンロック位置にある場合、第二回転部材７９は、軸部６０から後方に対して上方に傾斜する方向に延びる（図７参照）。
【００４３】
上記構成を有する保持部７０では、仮想平面Ｃ１よりも第一特定方向側には、第一部位７２と第二回転部材７９とがある。仮想平面Ｃ１よりも第二特定方向側には、第二部位７３がある。保持部７０では、第一部位７２の厚みＴ１を第二部位７３の厚みＴ２よりも薄くすることで、保持部７０の特定方向の重量バランスが調整されている。このように、保持部７０のうち仮想平面Ｃ１よりも第一特定方向側の部位に作用するモーメントと、保持部７０のうち仮想平面Ｃ１よりも第二特定方向側の部位に作用するモーメントとは、互いに略釣り合っている。
【００４４】
図２および図３に示すように、インナーロック部材８０は、本体ケース２の右面２Ｂにおいてバッテリ収容部２０の開口縁部のうち後縁部２０Ａ近傍に設けられる。インナーロック部材８０は、バッテリカバー５０の内側（左側）において、バッテリ収容部２０からバッテリ１０が外れることを抑制する。インナーロック部材８０は、バッテリロック位置（図３参照）とバッテリアンロック位置（図２参照）との間を前後方向に移動可能である。
【００４５】
図３に示すように、バッテリロック位置では、インナーロック部材８０の前部が、バッテリ収容部２０の後縁部２０Ａよりも内側（前側）に突出する。つまり、バッテリロック位置では、インナーロック部材８０の前端部が後縁部２０Ａよりも前側に配置され、かつインナーロック部材８０の後端部が後縁部２０Ａよりも後側に配置される。よって、バッテリロック位置では、インナーロック部材８０の左面のうち後縁部２０Ａよりも前側にある部位が、バッテリ収容部２０に装着されたバッテリ１０の右面１０Ａに接触する。これにより、インナーロック部材８０は、バッテリ収容部２０からバッテリ１０が外れることを抑制する。
【００４６】
図２に示すように、バッテリアンロック位置では、インナーロック部材８０の全部が、バッテリ収容部２０の開口縁部よりも外側に配置される。つまり、バッテリアンロック位置では、インナーロック部材８０の前端部が後縁部２０Ａよりも後側に配置される。詳細には、バッテリアンロック位置では、インナーロック部材８０は、前後方向において後縁部２０Ａとヒンジ１５との間に配置される。よって、バッテリアンロック位置では、インナーロック部材８０は、バッテリ収容部２０に装着されたバッテリ１０から後方に離隔する。これにより、印刷装置１は、バッテリ収容部２０に対してバッテリ１０を取り外し、また、取り付け可能な状態となる。
【００４７】
図３に示すように、インナーロック部材８０は、本体部８０Ａと突起部８０Ｂとを備える。本体部８０Ａは、略直方体状である。本体部８０Ａの内部には、空間が形成される。突起部８０Ｂは、本体部８０Ａの右面において、前後方向の略中央部から右方に突出する。インナーロック部材８０がバッテリロック位置にあり、かつバッテリカバー５０が閉位置にある場合、突起部８０Ｂの後端部は、接触リブ５４よりも前側に配置される。この場合、接触リブ５４が突起部８０Ｂに後方から接触可能となる。これにより、接触リブ５４が突起部８０Ｂに後方から接触すると、インナーロック部材８０のバッテリロック位置から後方に、バッテリアンロック位置への移動が規制される。
【００４８】
インナーロック部材８０がバッテリアンロック位置にある場合、開位置から閉位置にバッテリカバー５０が回動するときにおける接触リブ５４の移動軌跡上に、突起部８０Ｂが配置される。この場合、バッテリカバー５０が開位置から閉位置に回動する場合に、接触リブ５４が突起部８０Ｂに右方から接触可能となる。これにより、接触リブ５４が突起部８０Ｂに右方から接触すると、バッテリカバー５０の開位置から閉位置への回動が規制される。
【００４９】
本体部８０Ａの内部に形成された空間には、付勢部材８１が設けられる。本実施形態の付勢部材８１は、圧縮コイルばねである。付勢部材８１の一端はインナーロック部材８０に固定される。付勢部材８１の他端は、右面２Ｂにおいてインナーロック部材８０の後側に設けられた固定部に固定される。この構成によれば、付勢部材８１は、インナーロック部材８０を左方（バッテリアンロック位置（図２参照）からバッテリロック位置（図３参照）に向かう方向）に付勢する。
【００５０】
図２〜図８を参照し、ユーザがバッテリ１０をバッテリ保持機構７に収容し、収容したバッテリ１０を保持する手順を説明する。バッテリカバー５０が閉位置にあり、第一回転部材７１がカバーロック位置にあり、インナーロック部材８０がバッテリロック位置にある状態（図１、図３参照）を基準とする。
【００５１】
図５に示すように、ユーザは、第二回転部材７９を矢印Ｙ１方向に回転させる。図４に示すように、第二回転部材７９の回転に伴い、第一回転部材７１が軸部６０を介して矢印Ｙ１方向に回転する。この場合、第一回転部材７１が左方に撓み、規制部７４から凸部５６が外れる。第一回転部材７１は、凸部５６を乗り上げて回転する。すなわち、凸部５６は、第一回転部材７１（第二部位７３）の右面７１Ａ上に対して相対的に摺動する。厚みＴ１は厚みＴ２よりも薄いため、第一部位７２は第二部位７３に比べて撓みやすい。よって、ユーザは軽い操作で第二回転部材７９を回転させることができる。さらに、第一部位７２が撓むことにより、第一部位７２（規制部７４）および凸部５６の部品公差の許容範囲が緩和される。また、軸部６０と規制部７４との間の距離は、軸部６０と保持部７０全体の重心Ｇとの間の距離よりも大きい。よって、軸部６０と規制部７４との間の距離が軸部６０と保持部７０全体の重心Ｇとの間の距離以下である場合に比べて、てこの原理により、ユーザは軽い操作で第二回転部材７９を回転させることができる。
【００５２】
図６に示すように、第一回転部材７１がカバーアンロック位置まで回転すると、切欠き部７６によって形成される空間に凸部５６が配置される。撓んでいた第一回転部材７１が元の形状に戻る。これによれば、第一回転部材７１が回転する場合、凸部５６が切欠き部７６に干渉するため、第一回転部材７１の回転が規制される。すなわち、切欠き部７６によって形成される空間に凸部５６が配置されることによって、第一回転部材７１がカバーアンロック位置に保持される。
【００５３】
図２および図３に示すように、係合凹部４０に係合していた係合凸部７５が、係合凹部４０から離隔する。これにより、バッテリカバー５０が閉位置（図１、図３参照）から開位置（図２参照）に回動可能な状態となる。この状態で、ユーザは、バッテリカバー５０を平面視で反時計回り方向に回動させる。
【００５４】
バッテリカバー５０は、閉位置から開位置にヒンジ１５を中心に回動する。インナーロック部材８０に後方から接触していた接触リブ５４が、インナーロック部材８０から右方に離隔する。これにより、インナーロック部材８０がバッテリロック位置（図３参照）とバッテリアンロック位置（図２参照）との間を移動可能な状態となる。この状態で、ユーザは、付勢部材８１による付勢力に抗ってインナーロック部材８０を後方に移動させる。
【００５５】
インナーロック部材８０は、バッテリロック位置からバッテリアンロック位置に後方に移動する。これにより、バッテリ収容部２０にバッテリ１０を収容可能な状態となる。この状態で、ユーザは、バッテリ１０をバッテリ収容部２０に右方から収容する。
【００５６】
例えば、バッテリ１０の右面１０Ａがバッテリ収容部２０の開口面よりも外側（右側）に配置される等、バッテリ１０がバッテリ収容部２０に正しく収容されていない場合がある。この場合、付勢部材８１による付勢力によってインナーロック部材８０がバッテリアンロック位置から前方に移動すると、インナーロック部材８０の前端部がバッテリ１０と干渉する。このため、インナーロック部材８０はバッテリアンロック位置からバッテリロック位置への移動が規制された状態となる。この状態で、ユーザがバッテリカバー５０を平面視で時計回り方向に回動させると、突起部８０Ｂの後端部が接触リブ５４よりも後側に配置されているため、接触リブ５４が突起部８０Ｂの右面と干渉する。これにより、バッテリカバー５０の開位置から閉位置への回動が規制される。よって、バッテリ１０がバッテリ収容部２０に正しく収容されていない場合には、バッテリカバー５０が閉位置まで回動しないため、ユーザによる誤操作が抑制される。
【００５７】
バッテリ１０がバッテリ収容部２０に正しく収容されている場合、付勢部材８１による付勢力によってインナーロック部材８０がバッテリアンロック位置からバッテリロック位置に前方に移動する。インナーロック部材８０の左面のうち後縁部２０Ａよりも前側にある部位が、バッテリ収容部２０に装着されたバッテリ１０の右面１０Ａに接触する。突起部８０Ｂの後端部が接触リブ５４よりも前側に配置される。これにより、バッテリカバー５０は閉位置まで回動可能な状態となる。この状態で、ユーザは、バッテリカバー５０を平面視で時計回り方向に回動させる。
【００５８】
バッテリカバー５０は、開位置から閉位置にヒンジ１５を中心に回動する。複数の突出リブ５５Ａ，５５Ｂが、それぞれ、バッテリ収容部２０に収容されたバッテリ１０の右面１０Ａに右方から接触する。これにより、バッテリ収容部２０からバッテリ１０が外れることが抑制される。このように、印刷装置１では、インナーロック部材８０（インナーロック部材８０）およびバッテリカバー５０（複数の突出リブ５５Ａ，５５Ｂ）の二つの部材によって、バッテリ収容部２０からバッテリ１０が外れることが抑制されている。このため、インナーロック部材８０およびバッテリカバー５０に作用する力がそれぞれに分散される。よって、一部材のみでバッテリ１０に接触する場合に比べて、バッテリ収容部２０からバッテリ１０が外れることがより抑制される。さらに、例えば、一方の部材が、バッテリ収容部２０からバッテリ１０が外れることを抑制できない状態になったとしても、印刷装置１は、他方の部材によってバッテリ収容部２０からバッテリ１０が外れることを抑制できる。
【００５９】
また、インナーロック部材８０は、バッテリ収容部２０に収容されたバッテリ１０の後部に接触する。突出リブ５５Ａは、バッテリ収容部２０に収容されたバッテリ１０の前後方向の略中央部に接触する。このように、インナーロック部材８０および突出リブ５５Ａは、それぞれ、バッテリ１０のうち離れた２か所に接触している。よって、インナーロック部材８０およびバッテリカバー５０に作用する力は、それぞれにより分散されやすい。
【００６０】
図７に示すように、バッテリカバー５０が閉位置にある状態で、ユーザは、第二回転部材７９を矢印Ｙ２方向に回転させる。図６に示すように、第二回転部材７９の回転に伴い、第一回転部材７１が軸部６０を介して矢印Ｙ２方向に回転する。この場合、第一回転部材７１が左方に撓み、切欠き部７６に配置されていた凸部５６を乗り上げて回転する。
【００６１】
図４に示すように、第一回転部材７１がカバーロック位置まで回転すると、規制部７４に凸部５６が嵌まる。撓んでいた第一回転部材７１が元の形状に戻る。これによれば、第一回転部材７１が回転する場合、凸部５６が規制部７４に干渉するため、第一回転部材７１の回転が規制される。すなわち、規制部７４に凸部５６が嵌まることによって、第一回転部材７１がカバーアンロック位置に保持される。第一回転部材７１がカバーアンロック位置に配置されると、係合凸部７５が係合凹部４０に係合する。これにより、バッテリカバー５０が閉位置（図１、図３参照）に保持される。
【００６２】
以上説明したように、バッテリ収容部２０にバッテリ１０が収容された状態でバッテリカバー５０が閉位置に配置されることで、バッテリ１０は、バッテリ収容部２０に収容された状態で保持される。この状態で第一回転部材７１がカバーロック位置に回転すると、係合凸部７５がバッテリカバー５０の前縁部よりも外側に突出することで係合凹部４０に係合する。これにより、バッテリカバー５０が閉位置から開位置に移動することが規制される。規制部７４は、第一回転部材７１がカバーロック位置からカバーアンロック位置に回転することを規制する。これにより、印刷装置１は、保持部７０がバッテリカバー５０を閉位置に保持している状態を保持できる。例えば、印刷装置１に対して第一特定方向に衝撃が与えられた場合、保持部７０において、保持部７０全体の重心Ｇに対して軸部６０とは反対側の部位には、矢印Ｙ１方向（カバーロック位置からカバーアンロック位置に回転する方向）に回転する力が作用する。しかし、印刷装置１では、規制部７４によって第一回転部材７１がカバーロック位置から矢印Ｙ１方向に回転することが規制され、バッテリカバー５０が閉位置から開位置に回動することが抑制される。従って、印刷装置１は、印刷装置１に対して第一特定方向に衝撃が与えられた場合に、バッテリ収容部２０からバッテリ１０が外れることを抑制できる。
【００６３】
また、第二回転部材７９は第一特定方向に延びる。第一部位７２は第二部位７３よりも第一特定方向に配置される。第一部位７２の厚みＴ１が、第二部位７３の厚みＴ２よりも薄いため、印刷装置１は、保持部７０の特定方向の重量バランスを調整しやすい。従って、印刷装置１は、保持部７０において、仮想平面Ｃ１よりも第一特定方向側の部位に作用するモーメントと、仮想平面Ｃ１よりも第二特定方向側の部位に作用するモーメントとの釣り合いをとりやすい。本実施形態では、保持部７０において、仮想平面Ｃ１よりも第一特定方向側の部位に作用するモーメントと、仮想平面Ｃ１よりも第二特定方向側の部位に作用するモーメントとは互いに略釣り合っている。このため、例えば、印刷装置１に対して特定方向に交差する方向に衝撃が与えられた場合、カバーロック位置にある第一回転部材７１が回転し、バッテリカバー５０が閉位置から開位置に回動することが抑制される。従って、印刷装置１は、印刷装置１に対して特定方向に交差する方向に衝撃が与えられた場合に、バッテリ収容部２０からバッテリ１０が外れることを抑制できる。以上のように、印刷装置１は、印刷装置１に対する衝撃によってバッテリ収容部２０からバッテリ１０が外れることを抑制できる。ひいては、印刷装置１は、接続端子２１とバッテリ端子１１とが互いに離隔することにより、瞬間停止が生じることを抑制できる。例えばユーザが印刷装置１を落としたとしても、印刷装置１に対する衝撃によってバッテリ収容部２０からバッテリ１０が外れなければ、そのまま印刷装置１を使用できる。
【００６４】
係合凹部４０に係合する係合凸部７５には、外力が作用しやすい。このため、係合凸部７５には所定の強度が必要となる。本実施形態では、係合凸部７５は、厚みＴ１より厚い厚みＴ２を有する第二部位７３に含まれる。このため、印刷装置１は、厚みＴ１を有する第一部位７２に係合凸部７５が含まれる場合に比べ、第一回転部材７１の強度を担保できる。
【００６５】
軸部６０はバッテリカバー５０によって回転可能に支持される。第一回転部材７１は、軸部６０のうち、バッテリカバー５０に対して特定面５０Ａ側の部位と連結する。第二回転部材７９は、軸部６０のうち、バッテリカバー５０に対して特定面５０Ａとは反対面側の部位と連結する。このため、ユーザは容易に第二回転部材７９を摘まんで回転させることができる。よって、ユーザは、第一回転部材７１を、カバーロック位置とカバーアンロック位置との間を容易に回転させることができる。
【００６６】
第一回転部材７１がカバーロック位置にある場合、凹部である規制部７４に凸部５６が嵌まる。これにより、規制部７４は、第一回転部材７１がカバーロック位置から矢印Ｙ１方向および矢印Ｙ２方向のいずれに回転することも規制できる。
【００６７】
インナーロック部材８０は、バッテリロック位置とバッテリアンロック位置との間を移動可能である。インナーロック部材８０は、付勢部材８１によってバッテリアンロック位置からバッテリロック位置に向かう方向に付勢されている。バッテリロック位置では、インナーロック部材８０の左面のうち後縁部２０Ａよりも前側にある部位が、バッテリ収容部２０に装着されたバッテリ１０の右面１０Ａに接触する。これにより、印刷装置１は、例えば印刷装置１に対する衝撃によってバッテリカバー５０が開位置に回動したとしても、バッテリ収容部２０からバッテリ１０が外れることを抑制できる。
【００６８】
バッテリカバー５０が閉位置にある場合、接触リブ５４は、バッテリロック位置にあるインナーロック部材８０の突起部８０Ｂに後方から接触する。これにより、接触リブ５４は、バッテリカバー５０が閉位置にある場合に、インナーロック部材８０がバッテリロック位置からバッテリアンロック位置に移動することを規制できる。従って、印刷装置１は、印刷装置１に対する衝撃によってバッテリ収容部２０からバッテリ１０が外れることを抑制できる。
【００６９】
バッテリカバー５０がヒンジ１５を中心に閉位置から開位置に回動すると、インナーロック部材８０に後方から接触していた接触リブ５４が、インナーロック部材８０から右方に離隔する。これにより、インナーロック部材８０がバッテリロック位置とバッテリアンロック位置との間を移動可能な状態となる。本実施形態では、インナーロック部材８０は、バッテリアンロック位置にある場合、前後方向において、バッテリ収容部２０とヒンジ１５との間に配置される。つまり、インナーロック部材８０はヒンジ１５に近い位置に配置される。この場合、ヒンジ１５と離れた位置にインナーロック部材８０が配置される場合に比べて、バッテリカバー５０を大きく開かないと、接触リブ５４はインナーロック部材８０から離隔しない。このため、印刷装置１は、例えば印刷装置１に対する衝撃によって、バッテリカバー５０がバッテリ収容部２０に対して開いた場合でも、インナーロック部材８０がバッテリロック位置からバッテリアンロック位置に移動可能な状態になることを抑制できる。従って、印刷装置１は、印刷装置１に対する衝撃によってバッテリ収容部２０からバッテリ１０が外れることを抑制できる。
【００７０】
複数の突出リブ５５Ａ，５５Ｂは、特定面５０Ａから左方に突出する。複数の突出リブ５５Ａ，５５Ｂの各左端部は、バッテリカバー５０が閉位置にある場合、バッテリ収容部２０に収容されたバッテリ１０の右面１０Ａに右方から接触する。これにより、複数の突出リブ５５Ａ，５５Ｂは、バッテリ収容部２０からバッテリ１０が外れることを抑制できる。
【００７１】
本実施形態において、印刷部３２が本発明の「印刷部」に相当する。バッテリ１０が本発明の「バッテリ」に相当する。バッテリ収容部２０が本発明の「収容部」に相当する。特定面５０Ａが本発明の「特定面」に相当する。閉位置が本発明の「第一位置」に相当する。開位置が本発明の「第二位置」に相当する。バッテリカバー５０が本発明の「カバー」に相当する。バッテリカバー５０が閉位置にある場合における印刷装置１の左右方向が本発明の「第一方向」に相当する。軸部６０が本発明の「軸部」に相当する。保持部７０が本発明の「保持部」に相当する。係合凹部４０が本発明の「係合部」に相当する。カバーロック位置が本発明の「第三位置」に相当する。カバーアンロック位置が本発明の「第四位置」に相当する。第一回転部材７１が本発明の「第一回転部材」に相当する。特定方向が本発明の「第二方向」に相当する。第一特定方向が本発明の「第三方向」に相当する。第二回転部材７９が本発明の「第二回転部材」に相当する。規制部７４が本発明の「規制部」に相当する。第一部位７２が本発明の「第一部位」に相当する。第二特定方向が本発明の「第四方向」に相当する。第二部位７３が本発明の「第二部位」に相当する。仮想平面Ｃ１が本発明の「仮想平面」に相当する。
【００７２】
凸部５６が本発明の「凸部」に相当する。バッテリロック位置が本発明の「第五位置」に相当する。バッテリアンロック位置が本発明の「第六位置」に相当する。インナーロック部材８０が本発明の「移動部材」に相当する。印刷装置１の後方が本発明の「第五方向」に相当する。付勢部材８１が本発明の「付勢部材」に相当する。印刷装置１の前方が本発明の「第六方向」に相当する。接触リブ５４が本発明の「接触部」に相当する。ヒンジ１５が本発明の「ヒンジ」に相当する。突出リブ５５Ａ，５５Ｂが本発明の「突出部」に相当する。
【００７３】
本発明は、上記実施形態に限定されるものではなく、種々の変更が可能である。図９および図１０を参照し、第一変形例を説明する。上記実施形態と同一機能を有する部材には同じ符号を付して説明を省略する。第一変形例は、軸部６０の代わりに軸部６０１を備える点で上記実施形態とは異なる。軸部６０１は、第一回転部材７１を貫通する位置のみ、軸部６０と異なる。すなわち、軸部６０が保持部７０全体の重心Ｇの上方において、第一回転部材７１を貫通するのに対し、軸部６０１は、保持部７０全体の重心Ｇを通る位置において、第一回転部材７１を貫通する。
【００７４】
この構成によれば、第一回転部材７１は、カバーロック位置（図９参照）とカバーアンロック位置（図１０参照）との間を、軸部６０１を中心に回転する。第一回転部材７１は、矢印Ｙ１方向に回転することでカバーロック位置からカバーアンロック位置に回転する。第一回転部材７１は、矢印Ｙ２方向に回転することでカバーアンロック位置からカバーロック位置に回転する。
【００７５】
第一回転部材７１の回転中心である軸部６０１は、保持部７０全体の重心Ｇを通る。このため、印刷装置１に対して軸部６０１の径方向のうちいずれの方向から衝撃が与えられた場合でも、保持部７０のうち、軸部６０１に対して、衝撃が与えられた方向に直交する方向の一方の部位と、他方の部位とに、力が均等に分散する。これにより、第一回転部材７１がカバーロック位置からカバーアンロック位置に回転し、バッテリカバー５０が閉位置から開位置に回動することが抑制される。従って、第一変形例の印刷装置１は、印刷装置１に対する衝撃によってバッテリ収容部２０からバッテリ１０が外れることを抑制できる。
【００７６】
上記のように軸部６０１を有する第一変形例の印刷装置１は、規制部７４および凸部５６を備えなくてもよいし、第二回転部材７９を備えなくてもよい。例えば、軸部６０１は、バッテリカバー５０に固定されてもよい。この場合、第一回転部材７１が軸部６０１によって回転可能に支持されてもよい。
【００７７】
図１１および図１２を参照し、第二変形例を説明する。第二変形例は、第一回転部材７１の代わりに第一回転部材７１０を備える点で上記実施形態とは異なる。第一回転部材７１０は、第一回転部材７１と同様に、カバーロック位置（図１１参照）とカバーアンロック位置（図１２参照）との間を、軸部６０を中心に回転可能である。以下、第一回転部材７１０がカバーロック位置（図１１参照）にある状態を基準として説明する。
【００７８】
図１１に示すように、第一回転部材７１０は、軸部６０のうち、バッテリカバー５０に対して特定面５０Ａ側の部位と連結する。第一回転部材７１０は軸部６０の略中央部と連結する。軸部６０は、保持部７０全体（第一回転部材７１０および第二回転部材７９）の重心Ｇの上方において、第一回転部材７１０を貫通する。第二変形例の保持部７０の全体の重心Ｇは、側面視で第一回転部材７１０の中心部に配置される。軸部６０は、Ｃリング６１によって第一回転部材７１０に対して固定される。
【００７９】
第一回転部材７１０は、側面視で多角形状の板状である。第一回転部材７１０は、辺７１１と辺７１２と湾曲部７１３とを含む。辺７１１は、第一回転部材７１の後上方で、前方に対して上方に傾斜する方向に延びる。辺７１２は、第一回転部材７１０の前上方で、前方に対して下方に傾斜する方向に延びる。辺７１１と辺７１２とがなす角度αは略９０°である。第一回転部材７１０がカバーアンロック位置にある場合には、第一回転部材７１のうち辺７１１が回転規制リブ５３に接触する（図１２参照）。
【００８０】
第一回転部材７１０は、第一部位７２１と第二部位７３とを備える。第一部位７２１は、第一回転部材７１０のうち仮想平面Ｋ１よりも後側に配置される。第一部位７２１は、第一回転部材７１０のうち軸部６０が貫通する部位を含む。Ｃリング６１は、第一部位７２１の左側に設けられる。
【００８１】
第一部位７２１は、湾曲部７１３と規制部７４１とを有する。湾曲部７１３は、第一部位７２１の後端部から略前下方に、軸部６０を中心に円弧を描くように仮想平面Ｋ１近傍まで湾曲状に延びる。これにより、第一部位７２１には、湾曲部７１３の軸部６０側に湾曲凹部７１４が形成される。湾曲凹部７１４は、湾曲部７１３の上側から、辺７１１と湾曲部７１３との接続部近傍まで延びる。湾曲凹部７１４は、軸部６０を中心に円弧を描くように湾曲状に延びる。
【００８２】
規制部７４１は、第一部位７２１の後下部に設けられる。規制部７４１は、湾曲部７１３の軸部６０とは反対側の面から外側に突出する。第二変形例では、規制部７４１は、特定方向に直交する方向において、保持部７０全体の重心Ｇに対して軸部６０とは反対側に設けられる。すなわち、軸部６０と規制部７４１との間の距離は、軸部６０と保持部７０全体の重心Ｇとの間の距離よりも大きい。
【００８３】
第二部位７３は、第一回転部材７１０のうち第一部位７２１の第二特定方向側に配置される。つまり、第二部位７３は、第一回転部材７１０のうち仮想平面Ｋ１よりも前側に配置される。
【００８４】
第二変形例では、バッテリカバー５０にガイドリブ５７１が設けられる。ガイドリブ５７１は、特定面５０Ａから左方（図１１の紙面表面側）に突出する。ガイドリブ５７１は、湾曲部７１３に対して軸部６０とは反対側において、湾曲部７１３に沿って軸部６０を中心に円弧を描くように湾曲状に延びる。ガイドリブ５７１には、凹部５７２が設けられる。凹部５７２は、ガイドリブ５７１の上端部近傍から後方に凹む。第二変形例では、回転規制リブ５３の前端部から下方に突出する当接リブ５８１が設けられる。
【００８５】
上記構成を有する第二変形例において、カバーロック位置（図１１参照）とカバーアンロック位置（図１２参照）との間を回転する際の第一回転部材７１０の動きを簡潔に説明する。図１１に示すように、第一回転部材７１０がカバーロック位置にある場合、湾曲部７１３の前端部が後方から規制部７４１に接触する。これにより、第一回転部材７１０がカバーロック位置から矢印Ｙ１方向に回転することが規制される。第一回転部材７１０がカバーロック位置にある場合、当接リブ５８１が第一回転部材７１０の上端部に上方から接触する。これにより、第一回転部材７１０がカバーロック位置から矢印Ｙ２方向に回転することが規制される。よって、保持部７０がバッテリカバー５０を閉位置に保持している状態が保持される。
【００８６】
第一回転部材７１０がカバーロック位置から矢印Ｙ１方向に回転すると、湾曲部７１３が湾曲凹部７１４側に撓むことで、規制部７４１がガイドリブ５７１上（つまり、ガイドリブ５７１の軸部６０を向く面）を摺動する。このため、第一回転部材７１０は、カバーロック位置からカバーアンロック位置まで安定して回転できる。図１２に示すように、第一回転部材７１０がカバーアンロック位置まで回転すると、規制部７４１が凹部５７２に嵌まる。これにより、第一回転部材７１０がカバーアンロック位置から回転することが規制される。第一回転部材７１０がカバーアンロック位置からカバーロック位置に回転する場合は、回転方向が反対になる点のみ異なるので、説明を省略する。
【００８７】
上記第二変形例によれば、仮に、第一回転部材７１０がカバーロック位置とカバーアンロック位置との間を回転する際にバッテリカバー５０に対して左右方向（図１１、図１２の紙面に直交する方向）にずれたとしても、規制部７４１とガイドリブ５７１（凹部５７２またはガイドリブ５７１の前端部）との互いの係合具合への影響が少ない。このため、第二変形例の印刷装置１は、ユーザが第二回転部材７９を回転させる際の操作荷重を一定に保つことができる。
【００８８】
上記第二変形例では、第一回転部材７１０がカバーロック位置とカバーアンロック位置との間を回転する場合、湾曲部７１３が湾曲凹部７１４側に撓みやすい。このため、第二変形例の印刷装置１では、規制部７４１とガイドリブ５７１との部品公差の許容範囲が緩和される。
【００８９】
上記実施形態では、規制部７４が凹部であり、特定面５０Ａに凸部５６が設けられているが、例えば、規制部７４が凸部であり、特定面５０Ａに凸部５６の代わりに凹部が設けられてもよい。規制部７４は、第一部位７２の端部であってもよい。つまり、第一回転部材７１がカバーロック位置からカバーアンロック位置に回転する方向（上記実施形態では、矢印Ｙ１方向）から、第三位置にある第一回転部材７１における第一部位７２の端部（規制部）に、凸部５６が接触する構成が採用されてもよい。
【００９０】
上記実施形態において、インナーロック部材８０は、バッテリロック位置とバッテリアンロック位置との間を前後方向に移動するが、上下方向に移動してもよい。この場合、例えばバッテリ収容部２０の開口縁部のうち上縁部または下縁部の近傍に設けられてもよい。インナーロック部材８０は、例えば回転することでバッテリロック位置とバッテリアンロック位置との間を移動してもよい。この構成は、例えば左右方向に延びる軸部をインナーロック部材８０に設けることで実現できる。この場合、付勢部材８１として圧縮コイルばねの代わりに例えばトーションばねが採用されてもよい。本発明は、インナーロック部材８０および付勢部材８１を省略しても成立する。
【００９１】
上記実施形態において、印刷装置１は、複数の突出リブ５５Ａ，５５Ｂを備えるが、備えなくてもよいし、いずれか一方でもよく、または３つ以上備えてもよい。複数の突出リブ５５Ａ，５５Ｂは、バッテリカバー５０が閉位置にある場合に、バッテリ収容部２０に収容されたバッテリ１０に接触するが、接触しなくてもよい。
【００９２】
上記実施形態において、ヒンジ１５は上下方向に延びるが、例えば左右方向に延びてもよい。この場合、左右方向に延びたヒンジをバッテリ収容部２０の上側または下側に設けてもよい。バッテリカバー５０は、ヒンジ１５によって回転可能に支持されているが、本体ケース２に対して着脱可能であってもよい。つまり、バッテリカバー５０は、本体ケース２に取り付けられることで閉位置に移動し、本体ケース２から取り外されることで開位置に移動してもよい。
【００９３】
上記実施形態では、第一回転部材７１がカバーロック位置にある場合、係合凸部７５はバッテリカバー５０の前縁部から前方に突出するが、バッテリカバー５０のいずれかの縁部から突出すればよい。この場合、係合凹部４０は、係合凸部７５が係合可能な位置に設けられればよい。
【００９４】
上記実施形態では、第一回転部材７１がカバーロック位置にある場合、第一回転部材７１のうち第二部位７３の一部（係合凸部７５）がバッテリカバー５０の前縁部よりも前側に突出する。第一回転部材７１がカバーロック位置にある場合、第一回転部材７１のうち第二部位７３の全部が係合凸部７５としてバッテリカバー５０の前縁部よりも前側に突出する構成が採用されてもよい。
【符号の説明】
【００９５】
１    印刷装置
１０    バッテリ
１５    ヒンジ
２０    バッテリ収容部
３２    印刷部
４０    係合凹部
５０    バッテリカバー
５０Ａ    特定面
５４    接触リブ
５５Ａ，５５Ｂ    突出リブ
５６    凸部
６０，６０１    軸部
７０    保持部
７１，７１０    第一回転部材
７２，７２１    第一部位
７３    第二部位
７４，７４１    規制部
７９    第二回転部材
８０    インナーロック部材
８１    付勢部材
Ｃ１    仮想平面
Ｇ    重心
【図１】
0006686713.tif 000002
【図２】
0006686713.tif 000003
【図３】
0006686713.tif 000004
【図４】
0006686713.tif 000005
【図５】
0006686713.tif 000006
【図６】
0006686713.tif 000007
【図７】
0006686713.tif 000008
【図８】
0006686713.tif 000009
【図９】
0006686713.tif 000010
【図１０】
0006686713.tif 000011
【図１１】
0006686713.tif 000012
【図１２】
0006686713.tif 000013